(57)【要約】【課題】靴及び靴中敷において、突起部分をそなえたことを特徴とした靴及び靴中敷【解決手段】第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に接する内側から盛り上げて足裏部に生じる隙間を靴内底面及び靴中敷面に突起部分をそなえたことである。【選択図】図１
2008161635.tif 000002
【特許請求の範囲】
【請求項１】
第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に接する内側から盛り上げて足裏部に生じる隙間を靴内底面及び靴中敷面に突起部分をそなえたことを特徴とした靴内底面及び靴中敷。
【請求項２】
請求項１記載の靴及び靴中敷において、足裏に生じる空間部分・土踏まずに接する内側から盛り上げて足裏部に生じる隙間に突起部分をそなえたことを特徴とした靴内底面及び靴中敷。
【請求項３】
請求項１記載の靴及び靴中敷において、第一中足骨の種子骨と第一基節骨の種子骨の内側に生じる空間に生じる隙間に突起部分をそなえたことを特徴とした、ハイヒールなどによる外反母趾の予防ないし矯正にも役立つ靴内底面及び靴中敷。
【請求項４】
請求項１記載の靴及び靴中敷の底面を半分にカットして、サンダル・ハイヒールなどによる外反母趾の予防ないし矯正にも役立つ靴内底面及び靴中敷。
【発明の詳細な説明】
【技術分野】
【０００１】本発明は、靴内底に突起部分を設けた靴及び靴中敷。
【背景技術】
【０００２】特許出願２００１−８９９９７号では、図１０（Ａ）に示すように、靴の中敷裏面に、第１中足骨骨頭接地部と、第５中足骨骨頭接地部と、踵骨隆起接地部とを結ぶ逆Ｌ字形状の領域に対応し、途中で踵骨載距突起に隆起しているアーチ落ち込み防止板を埋め込んでおり、中敷表面に、各接地部を凹み踵骨載距突起は隆起、足指部は厚み薄くしている靴中敷、前足部に横溝がある靴外底。以上を特徴とする靴中敷および靴底構造の靴中敷があった。
【発明の開示】
【発明が解決しようとする課題】
【０００３】上記の背景技術によれば、次のような問題点があった。
靴の中敷裏面に、第１中足骨骨頭接地部と、第５中足骨骨頭接地部と、踵骨隆起接地部とを結ぶ逆Ｌ字形状の領域に対応し、途中で踵骨載距突起に隆起しているアーチ落ち込み防止板を埋め込んでおり、中敷表面に、各接地部を凹み踵骨載距突起は隆起、足指部は厚み薄くしている靴中敷では、歩行・走行した場合に、第一中足骨の種子骨と第一基節骨の種子骨の内側に生じる空間、第二中足骨の種子骨と第二基節骨の種子骨の内側に生じる空間がある為に、足指に充分な力が発揮されない。【０００４】本発明は従来技術の以上の問題に鑑み創案されたもので、第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に接する内側から盛り上げて足裏部に生じる隙間を靴内底面及び靴中敷面に突起部分をそなえ、足指に充分な力を発揮し、歩行・走行などに一層効果をあらわす。
【課題を解決するための手段】
【０００５】足は脛骨、腓骨、７個の足根骨、５個の中足骨、１４個の種子骨及び数個の種子骨より構成され、一対で５８個あり、複雑に機能している。そして体重や体の移動によって生じた重力を足裏部で支える。これらの時に第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分があることにより、体重や体の移動によって生じた重力が滑り、各部骨も大きく揺れ動く、このため第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に靴内底面及び靴中敷面に突起部分をそなえ、体重や体の移動によって生じた重力が滑らず各部骨も大きく揺れ動くことも抑えられ、これらを改善に有効であると、本発明は考えた。【０００６】そのため請求項１記載の本発明の靴内底面及び靴中敷の構成は、図１（同図では右足用を例として示す）（Ａ）に示すように第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に靴内底面及び靴中敷面に突起部分４をそなえる、図１（Ｂ）は、側面からの靴内底面及び靴中敷面に突起部分４と従来からそなえられる土踏まず２を示す。図３は足裏中足骨部分先の第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に突起部分４・４′をそなえ、体重や体の移動によって生じた重力が滑らず各部骨も大きく揺れ動くことも抑えることを示す。図５（Ｂ）は第一中足骨の種子骨と第一基節骨の種子骨の内側に生じる空間に突起部分４をそなえたことを示す。図６は第一中足骨の種子骨にかかる重力を第一中足骨の種子骨と第一基節骨の種子骨の内側に生じる空間に突起部分４をそなえたことを示す。図７は第一中足骨の種子骨にかかる重力を示す。【０００７】図８（Ａ）（Ａ′）は、従来の靴中敷を示す、（Ｂ）（Ｂ′）は、従来の靴中敷で土踏まずに突起部分２をそなえたことを示す、これらは足指先裏が滑りやすく重力を支えにくい、（Ｃ）（Ｃ′）は請求項２記載の本発明の靴内底面及び靴中敷の構成に於いて本発明で第一中足骨の種子骨と第一基節骨の種子骨の内側に生じる空間と土踏まず２に突起部分４をそなえ足指先裏が滑りやすく重力を支えにくいことを防ぐことを示す。【０００８】また請求項３では、図１１に示すように、踵骨隆起と第一中足骨の種子骨に重力が掛かる割合を示したもので、図１１（Ｂ）はヒール内の体重の掛かる割合を示したものである。また、図１１（Ｃ）はハイヒール内の体重の掛かる割合を示したものであり、外反母趾になりやすい構成を示す、よって、図４による突起部分４をそなえ第一中足骨の種子骨で重力を支え外反母趾になりやすいことを防ぐことを示す。
【発明の効果】
【０００９】以上詳述した本発明の構成によれば、足指に充分な力を発揮し、足の機能補強をも図ることができるようになるため、歩行・走行などに一層効果をあらわし、第一中足骨の種子骨で重力を支えるため外反母趾の予防にもなり、足の機能補強をも達成できるようになる。
【発明を実施するための最良の形態】
【００１０】以下、本発明の実施するための形態について説明すると、靴中敷に、第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に接する内側から盛り上げて足裏部に生じる隙間を靴内底面及び靴中敷面に突起部分をそなえた。
【実施例】
【００１１】足は脛骨、腓骨、７個の足根骨、５個の中足骨、１４個の種子骨及び数個の種子骨より構成され、一対で５８個あり、複雑に機能している。そして体重や体の移動によって生じた重力を足裏部で支える。これらの時に第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分があることにより、体重や体の移動によって生じた重力が滑り、各部骨も大きく揺れ動く、このため第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に靴内底面及び靴中敷面に突起部分をそなえ、体重や体の移動によって生じた重力が滑らず各部骨も大きく揺れ動くことも抑えられ、図１（同図では右足用を例として示す）（Ａ）に示すように第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に靴内底面及び靴中敷面に突起部分４をそなえる。【００１２】図１（Ｂ）は、側面からの靴内底面及び靴中敷面に突起部分４と従来からそなえられる土踏まず２を示す。図３は足裏中足骨部分先の第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に突起部分４・４′をそなえ、体重や体の移動によって生じた重力が滑らず各部骨も大きく揺れ動くことも抑えることを示す。図５（Ｂ）は第一中足骨の種子骨と第一基節骨の種子骨の内側に生じる空間に突起部分４をそなえたことを示す。図６は第一中足骨の種子骨にかかる重力を第一中足骨の種子骨と第一基節骨の種子骨の内側に生じる空間に突起部分４をそなえたことを示す。図７は第一中足骨の種子骨にかかる重力を示す。【００１３】また、図１１に示すように、踵骨隆起と第一中足骨の種子骨に重力が掛かる割合を示したもので、図１１（Ｂ）はヒール内の体重の掛かる割合を示したものである。また、図１１（Ｃ）はハイヒール内の体重の掛かる割合を示したものであり、外反母趾になりやすい構成を示す、よって、図４による突起部分４をそなえ第一中足骨の種子骨で重力を支え外反母趾になりやすいことを防ぐことを示す。
【産業上の利用可能性】
【００１４】靴中敷に、第一中足骨の種子骨と第一基節骨の種子骨の内側に生じる空間、第二中足骨の種子骨と第二基節骨の種子骨の内側に生じる空間、第三中足骨の種子骨と第三基節骨の種子骨の内側に生じる空間部分に接する内側から盛り上げて足裏部に生じる隙間を靴内底面及び靴中敷面に突起部分をそなえたことにより、スポーツ全般シューズを利用することに関して、足裏からの力の集中そしてプレーに及ぼす結果を期待される。【００１５】また、第一中足骨の種子骨と第一基節骨の種子骨の内側に生じる空間に生じる隙間に突起部分をそなえたことで、ハイヒールなどによる外反母趾の予防ないし矯正にも役立つものである。
【図面の簡単な説明】
【００１６】
【図１】請求項１記載の本発明の靴中敷の構成を示す説明図である。
【図２】足裏に掛かる重量を示す説明図である。
【図３】足裏先に掛かる重量とその土踏まずに置いた突起部を示す説明図である。
【図４】請求項４記載の本発明の靴中敷の構成を示す説明図である。
【図５】第一中足骨下関節の形態と足指土踏まずに設けた突起部を示す説明図である。
【図６】距骨下関節のアーチに本発明の靴中敷の構成を示す説明図である。
【図７】距骨下関節の重量の掛かるアーチを示す説明図である。
【図８】靴中敷と足の相互関係を示す説明図である。
【図９】距骨下関節の歩行・走行時に重量の掛かりを示す説明図である。
【図１０】先願による、靴中敷と靴による足固定を示す説明図である。
【図１１】距骨下関節の体重の掛かりを示す説明図である。
【図１２】足の外観と外反母趾を示す説明図である。
【図１３】第一中足骨下関節の外反母趾形態を示す説明図である。
【符号の説明】
【００１６】１  足指間の土踏まず
２  足裏土踏まず
３  足裏第一中足骨の種子骨に重量が掛かる部分
４  足指の力を凝縮発揮する為の突起
５  第一中足骨の種子骨
【図１】
2008161635.tif 000003
【図２】
2008161635.tif 000004
【図３】
2008161635.tif 000005
【図４】
2008161635.tif 000006
【図５】
2008161635.tif 000007
【図６】
2008161635.tif 000008
【図７】
2008161635.tif 000009
【図８】
2008161635.tif 000010
【図９】
2008161635.tif 000011
【図１０】
2008161635.tif 000012
【図１１】
2008161635.tif 000013
【図１２】
2008161635.tif 000014
【図１３】
2008161635.tif 000015